(57)【要約】【課題】締結性を向上しやすい締結部材セット、増設ハンガーバーセット、およびハンガーバー増設システムを提供する。【解決手段】締結部材セット１は、基本ハンガーバー１０と、管体２１で構成され基本ハンガーバー１０に下方で連結される増設ハンガーバー２０と、を連結するように基本ハンガーバー１０に吊り下げられた吊り下げ棒２５を増設ハンガーバー２０に締結する。増設ハンガーバーセット２は、既設の基本ハンガーバー１０に下方で連結して増設される増設ハンガーバー２０と、基本ハンガーバー１０に吊り下げられて増設ハンガーバー２０に連結される吊り下げ棒２５と、吊り下げ棒２５を増設ハンガーバー２０に締結する締結部材セット１と、を一組にして構成される。ハンガーバー増設システム３は、増設ハンガーバーセット２に基本ハンガーバー１０を追加して構成される。【選択図】図１
2020093071.tif 000002
【特許請求の範囲】
【請求項１】
既設の基本ハンガーバーと、管体で構成され前記基本ハンガーバーに下方で連結される増設ハンガーバーと、を連結するように前記基本ハンガーバーに吊り下げられた吊り下げ棒を前記増設ハンガーバーに締結する締結部材セットであって、
前記管体の端に蓋状に被さるエンドキャップ部と、前記エンドキャップ部に対する前記管体の反対側で前記吊り下げ棒の下側先端部を収容する下側先端収容部と、前記管体の管内壁に沿って前記エンドキャップ部から衝立状に伸びた複数の衝立部と、を備えるキャップ部材と、
前記衝立部の内側壁に沿う外周壁を有する柱状のブッシュ部と、前記ブッシュ部の軸部分に位置する貫通孔と、前記貫通孔の長さ方向の中間に前記貫通孔と同心で位置する雌ネジ部と、を備えるブッシュ部材と、
前記下側先端部を外側から押さえる頭部と、前記頭部から延長して前記下側先端部、前記下側先端収容部、前記エンドキャップ部および前記貫通孔を通って、前記雌ネジ部にねじ込まれる雄ネジ部と、を備える雄ネジ部材と、を備え、
前記内側壁は、前記エンドキャップ部の側のエンド側内径に対して開放された側の開放側内径が大きい傾斜を有し、
前記外周壁は、前記エンドキャップ部に近い側の先端外径に対して前記エンドキャップ部から遠い側の後端外径が大きい傾斜を有し、前記後端外径は、前記開放側内径より大きく、
前記外周壁は、前記雄ネジ部が前記雌ネジ部にねじ込まれて前記衝立部に前記ブッシュ部が引き込まれたとき、前記衝立部を拡げて前記管内壁へ押し付ける大きさの外周外径を有する
ことを特徴とする締結部材セット。
【請求項２】
請求項１に記載の締結部材セットであって、
前記下側先端部は、前記基本ハンガーバーから延び、前記雄ネジ部を下方から支持して上方に湾曲する湾曲形状を備え、前記エンドキャップ部は、雄ネジ部が通過する通過穴を有する
ことを特徴とする締結部材セット。
【請求項３】
請求項１または請求項２に記載の締結部材セットであって、
前記エンドキャップ部は、前記衝立部の外側に管体の先端が嵌め込まれる縁取り部を備え、前記縁取り部は、前記衝立部との間に前記管体が挿入される溝部を備える
ことを特徴とする締結部材セット。
【請求項４】
請求項１から請求項３までのいずれか１つに記載の締結部材セットであって、
前記衝立部は、衝立分離部を介して前記管体に対して等分に位置している
ことを特徴とする締結部材セット。
【請求項５】
請求項１から請求項４までのいずれか一つに記載の締結部材セットであって、
前記キャップ部材は、前記下側先端収容部の周囲に前記下側先端部を囲んで保護する保護枠部を備える
ことを特徴とする締結部材セット。
【請求項６】
請求項１から請求項５までのいずれか１つに記載の締結部材セットであって、
管体は、円管である
ことを特徴とする締結部材セット。
【請求項７】
請求項１から請求項６までのいずれか１つに記載の締結部材セットであって、
前記貫通孔は、前記雌ネジ部に対する前記先端外径の側で、前記雄ネジ部が有する雄ネジ外径より大きい孔内径を有し、前記雌ネジ部に対する前記後端外径の側で、前記雄ネジ外径より小さい縮小孔内径を有する
ことを特徴とする締結部材セット。
【請求項８】
既設の基本ハンガーバーに下方で連結して増設される増設ハンガーバーと、前記基本ハンガーバーに吊り下げられて前記増設ハンガーバーに連結される吊り下げ棒と、前記吊り下げ棒を前記増設ハンガーバーに締結する締結部材セットと、を一組にした増設ハンガーバーセットであって、
前記締結部材セットは、請求項１から請求項７までのいずれか１つに記載の締結部材セットである
ことを特徴とする増設ハンガーバーセット。
【請求項９】
基本ハンガーバーと、前記基本ハンガーバーに下方で連結して増設される増設ハンガーバーと、前記基本ハンガーバーに吊り下げられて前記増設ハンガーバーに連結される吊り下げ棒と、前記吊り下げ棒を前記増設ハンガーバーに締結する締結部材セットと、を備えるハンガーバー増設システムであって、
前記締結部材セットは、請求項１から請求項７までのいずれか１つに記載の締結部材セットである
ことを特徴とするハンガーバー増設システム。
【発明の詳細な説明】
【技術分野】
【０００１】
本発明は、ハンガーバーを増設する際に適用される増設ハンバーバーを吊り下げ棒に締結する締結部材セット、このような締結部材セットと増設ハンガーバーとを一組にした増設ハンガーバーセット、および、締結部材セットが適用された増設ハンガーバーが吊り下げられる基本ハンガーバーを備えたハンガーバー増設システムに関する。
【背景技術】
【０００２】
従来、既存の基本ハンガーバーに追加の増設ハンガーバーを設ける技術が提供されている（例えば、特許文献１参照。）。特許文献１に記載の技術においては、追加される増設ハンガーバーとして断面が角丸長方形の管体が使用され、管体の端部に締結部材が連結されている。
【先行技術文献】
【特許文献】
【０００３】
【特許文献１】特開２０１８−４２９５４号公報
【発明の概要】
【発明が解決しようとする課題】
【０００４】
しかし、特許文献１に記載の技術では、管体の断面が角丸長方形であり、管体構造の複雑さに加えて締結構造が複雑化しやすい。つまり、吊り下げ棒との締結が複雑になりやすく強度を確保し難いという課題があった。
本発明はこのような状況に鑑みてなされたものであり、増設ハンガーバー（管体）および吊り下げ棒に対する連結構造を改良して作業性および連結強度を向上し、締結性を向上しやすい締結部材セットを提供することを目的とする。
また、本発明は、増設ハンガーバーと、吊り下げ棒と、本発明に係る締結部材セットとを一組にすることで締結性を向上する増設ハンガーバーセットを提供することを他の目的とする。
また、本発明は、基本ハンガーバーと、増設ハンガーバーと、吊り下げ棒と、本発明に係る締結部材セットとを一組にすることで締結性を向上するハンガーバー増設システムを提供することを他の目的とする。
【課題を解決するための手段】
【０００５】
本発明に係る締結部材セットは、既設の基本ハンガーバーと、管体で構成され前記基本ハンガーバーに下方で連結される増設ハンガーバーと、を連結するように前記基本ハンガーバーに吊り下げられた吊り下げ棒を前記増設ハンガーバーに締結する締結部材セットであって、前記管体の端に蓋状に被さるエンドキャップ部と、前記エンドキャップ部に対する前記管体の反対側で前記吊り下げ棒の下側先端部を収容する下側先端収容部と、前記管体の管内壁に沿って前記エンドキャップ部から衝立状に伸びた複数の衝立部と、を備えるキャップ部材と、前記衝立部の内側壁に沿う外周壁を有する柱状のブッシュ部と、前記ブッシュ部の軸部分に位置する貫通孔と、前記貫通孔の長さ方向の中間に前記貫通孔と同心で位置する雌ネジ部と、を備えるブッシュ部材と、前記下側先端部を外側から押さえる頭部と、前記頭部から延長して前記下側先端部、前記下側先端収容部、前記エンドキャップ部および前記貫通孔を通って、前記雌ネジ部にねじ込まれる雄ネジ部と、を備える雄ネジ部材と、を備え、前記内側壁は、前記エンドキャップ部の側のエンド側内径に対して開放された側の開放側内径が大きい傾斜を有し、前記外周壁は、前記エンドキャップ部に近い側の先端外径に対してエンドキャップ部から遠い側の後端外径が大きい傾斜を有し、前記後端外径は、前記開放側内径より大きく、前記外周壁は、前記雄ネジ部が前記雌ネジ部にねじ込まれて前記衝立部に前記ブッシュ部が引き込まれたとき、前記衝立部を拡げて前記管内壁へ押し付ける大きさの外周外径を有することを特徴とする。
したがって、本発明に係る締結部材セットにおいては、ブッシュ部の外周壁は、衝立部を内側から拡げて管内壁（管内径）に押し付ける大きさの外周外径を有するので、雄ネジ部が雌ネジ部にねじ込まれて衝立部が構成する空間にブッシュ部が引き込まれたとき、外周壁は、衝立部を内側から外側へ向けて拡げる。このため、衝立部は、管内壁（管内径）に押し付けられる。
つまり、本発明に係る締結部材セットは、管体（増設ハンガーバー）および吊り下げ棒に対する連結構造を改良して作業性および連結強度を向上し、締結性を向上しやすくする。
【０００６】
また、本発明の一実施の形態に係る締結部材セットでは、前記下側先端部は、前記基本ハンガーバーから延び、前記雄ネジ部を下方から支持して上方に湾曲する湾曲形状を備え、前記エンドキャップ部は、雄ネジ部が通過する通過穴を有することを特徴とする。
また、本発明の一実施の形態に係る締結部材セットでは、前記エンドキャップ部は、前記衝立部の外側に管体の先端が嵌め込まれる縁取り部を備え、前記縁取り部は、前記衝立部との間に前記管体が挿入される溝部を備えることを特徴とする。
また、本発明の一実施の形態に係る締結部材セットでは、前記衝立部は、衝立分離部を介して前記管体に対して等分に位置していることを特徴とする。
また、本発明の一実施の形態に係る締結部材セットでは、前記キャップ部材は、前記下側先端収容部の周囲に前記下側先端部を囲んで保護する保護枠部を備えることを特徴とする。
また、本発明の一実施の形態に係る締結部材セットでは、管体は、円管であることを特徴とする。
また、本発明の一実施の形態に係る締結部材セットでは、前記貫通孔は、前記雌ネジ部に対する前記先端外径の側で、前記雄ネジ部が有する雄ネジ外径より大きい孔内径を有し、前記雌ネジ部に対する前記後端外径の側で、前記雄ネジ外径より小さい縮小孔内径を有することを特徴とする。
【０００７】
また、本発明に係る増設ハンガーバーセットは、既設の基本ハンガーバーに下方で連結して増設される増設ハンガーバーと、前記基本ハンガーバーに吊り下げられて前記増設ハンガーバーに連結される吊り下げ棒と、前記吊り下げ棒を前記増設ハンガーバーに締結する締結部材セットと、を一組にした増設ハンガーバーセットであって、前記締結部材セットは、本発明に係る締結部材セットであることを特徴とする。
したがって、本発明に係る増設ハンガーバーセットは、増設ハンガーバー、吊り下げ棒および締結部材セットを一組にしているので、容易に設定されやすく、締結性を向上しやすい。
また、本発明に係るハンガーバー増設システムは、基本ハンガーバーと、前記基本ハンガーバーに下方で連結して増設される増設ハンガーバーと、前記基本ハンガーバーに吊り下げられて前記増設ハンガーバーに連結される吊り下げ棒と、前記吊り下げ棒を前記増設ハンガーバーに締結する締結部材セットと、を備えるハンガーバー増設システムであって、前記締結部材セットは、本発明に係る締結部材セットであることを特徴とする。
したがって、本発明に係るハンガーバー増設システムは、基本ハンガーバー、増設ハンガーバー、吊り下げ棒および締結部材セットを一組にしているので、容易に設定されやすく、締結性を向上しやすい。
【発明の効果】
【０００８】
本発明に係る締結部材セットは、増設ハンガーバー（管体）および吊り下げ棒に対する連結構造を改良して作業性および連結強度を向上し、締結性を向上しやすくするという効果を奏する。
また、本発明に係る増設ハンガーバーセットは、増設ハンガーバーと、吊り下げ棒と、本発明に係る締結部材セットとを一組にすることで、締結性を向上するという効果を奏する。
また、本発明に係るハンガーバー増設システムは、基本ハンガーバーと、増設ハンガーバーと、吊り下げ棒と、本発明に係る締結部材セットとを一組にすることで、締結性を向上するという効果を奏する。
【図面の簡単な説明】
【０００９】
【図１】本発明の実施の形態に係る締結部材セット、増設ハンガーバーセット、およびハンガーバー増設システムの全体概要を斜め上方から見て示す全体斜視図である。
【図２】本発明の実施の形態に係る締結部材セットの構成部材を分離して模式的に示す構成模式図である。
【図３】図２に示した締結部材セットの構成部材を組み合わせた状態を一部断面で透視的に示す一部断面透視図である。
【図４】図２に示した締結部材セットを構成するキャップ部材の全体を一部断面で透視的に示す一部断面透視図である。
【図５】図４に示したキャップ部材を下側先端収容部の側から見た右側面図である。
【図６】図４に示したキャップ部材を衝立部の側から見た左側面図である。
【図７】図５に示したキャップ部材の下側先端収容部に吊り下げ棒の下側先端部を挿入した状態を示す右側面図である。
【図８】図２に示した締結部材セットを変形した締結部材セット（変形例）の状態を図２に倣って模式的に示す構成模式図である。
【図９】図８に示した締結部材セットの構成部材を組み立てた状態を一部断面で透視的に示す一部断面透視図である。
【発明を実施するための形態】
【００１０】
以下、図面（図１ないし図７）を参照して本発明（締結部材セット１、増設ハンガーバーセット２、ハンガーバー増設システム３）の実施の形態について説明する。
図１は、本発明の実施の形態に係る締結部材セット１、増設ハンガーバーセット２、およびハンガーバー増設システム３の全体概要を斜め上方から見て示す全体斜視図である。
図２は、本発明の実施の形態に係る締結部材セット１の構成部材を分離して模式的に示す構成模式図である。
図３は、図２に示した締結部材セット１の構成部材を組み合わせた状態を一部断面で透視的に示す一部断面透視図である。なお、図３は、図２に比べて拡大して示される。
【００１１】
締結部材セット１は、既設の基本ハンガーバー１０と、管体２１で構成され基本ハンガーバー１０に下方で連結される増設ハンガーバー２０と、を連結するように基本ハンガーバー１０に吊り下げられた吊り下げ棒２５を増設ハンガーバー２０に締結する。図１では、締結部材セット１の構成部材としてキャップ部材３０および頭部７２が示される。
増設ハンガーバーセット２は、既設の基本ハンガーバー１０に下方で連結して増設される増設ハンガーバー２０と、基本ハンガーバー１０に吊り下げられて増設ハンガーバー２０に連結される吊り下げ棒２５と、吊り下げ棒２５を増設ハンガーバー２０に締結する締結部材セット１と、を一組にして構成される。
ハンガーバー増設システム３は、基本ハンガーバー１０と、基本ハンガーバー１０に下方で連結して増設される増設ハンガーバー２０と、基本ハンガーバー１０に吊り下げられて増設ハンガーバー２０に連結される吊り下げ棒２５と、吊り下げ棒２５を増設ハンガーバー２０に締結する締結部材セット１と、を備える。
【００１２】
締結部材セット１は、キャップ部材３０、ブッシュ部材５０、および雄ネジ部材７０を備える。
キャップ部材３０は、管体２１の端に蓋状に被さるエンドキャップ部３２と、エンドキャップ部３２に対する管体２１の反対側で吊り下げ棒２５の下側先端部２６を収容する下側先端収容部３４と、管体２１の管内壁２１ｗに沿ってエンドキャップ部３２から衝立状に伸びた複数の衝立部３６と、を備える。
また、ブッシュ部材５０は、衝立部３６の内側壁３７に沿う外周壁５３を有する柱状のブッシュ部５２と、ブッシュ部５２の軸部分に位置する貫通孔５４と、貫通孔５４の長さ方向の中間に貫通孔５４と同心で位置する雌ネジ部５６と、を備える。
雄ネジ部材７０は、下側先端部２６を外側から押さえる頭部７２と、頭部７２から延長して下側先端部２６、下側先端収容部３４、エンドキャップ部３２および貫通孔５４を通って、雌ネジ部５６にねじ込まれる雄ネジ部７４と、を備える。
また、エンドキャップ部３２は、下側先端収容部３４（下側先端部２６）からブッシュ部５２（貫通孔５４）へ雄ネジ部７４を通過させる通過穴３８を有する。
雄ネジ部７４は、長さ方向に均一な雄ネジ外径φｂを有する。貫通孔５４は、雄ネジ外径φｂより大きい孔内径φ４を有する。孔内径φ４は、雄ネジ外径φｂより大きいので、雄ネジ部７４は、そのまま貫通孔５４の内側を通って雌ネジ部５６にねじ込まれる。また、雄ネジ部７４は、確実なネジ込みのために雌ネジ部５６を突き抜ける長さを有する。
内側壁３７は、エンドキャップ部３２の側のエンド側内径φ１に対して開放された側の開放側内径φ２が大きい傾斜を有し、外周壁５３は、エンドキャップ部３２に近い側の先端外径φ５に対してエンドキャップ部３２から遠い側の後端外径φ６が大きい傾斜を有し、後端外径φ６は、開放側内径φ２より大きく、外周壁５３は、雄ネジ部７４が雌ネジ部５６にねじ込まれて衝立部３６にブッシュ部５２が引き込まれたとき、衝立部３６を拡げて管内壁２１ｗへ押し付ける大きさの外周外径φ７を有する。
【００１３】
ブッシュ部５２の外周壁５３は、衝立部３６を内側から拡げて管内壁２１ｗ（管内径φ１０）に押し付ける大きさの外周外径φ７を有するので、雄ネジ部７４が雌ネジ部５６にねじ込まれて衝立部３６が構成する内側空間にブッシュ部５２が引き込まれたとき、外周壁５３は、衝立部３６を内側から外側へ向けて拡げる。このため、衝立部３６は、管内壁２１ｗ（管内径φ１０）に押し付けられる。
つまり、締結部材セット１は、管体２１（増設ハンガーバー２０）および吊り下げ棒２５に対する連結構造を改良して作業性および連結強度を向上し、締結性を向上しやすくする。
管体２１は、円管であることが好ましい。管体２１は、円管であるので、キャップ部材３０に対して柱状のブッシュ部材５０を適用することが可能となり、シンプルで強固な締結部材となるので増設ハンガーバー２０を吊り下げ棒２５に締結しやすい。また、円管であることから、製造が容易で確実な強度を得やすい。
【００１４】
衝立部３６は、エンドキャップ部３２の側のエンド側内径φ１に対して開放された側の開放側内径φ２が大きい傾斜を有する。このため、キャップ部材３０へのブッシュ部材５０の挿入が容易となる。ブッシュ部材５０は、エンドキャップ部３２に近い側の先端外径φ５に対してエンドキャップ部３２から遠い側の後端外径φ６が大きい傾斜を有する。このため、ブッシュ部材５０をキャップ部材３０へ挿入し、雄ネジ部７４を雌ネジ部５６にねじ込んでブッシュ部材５０をキャップ部材３０の側に引き込むことが容易となる。
後端外径φ６は、開放側内径φ２より大きい。このため、ブッシュ部材５０をキャップ部材３０の側に引き込んだとき、衝立部３６を管内壁２１ｗ（管内径φ１０）に押し当てやすくなる。つまり、衝立部３６が管内壁２１w（管内径φ１０）に押し付けられている状態では、外周外径φ７＋衝立厚みT１＝管内径φ１０となる。
雄ネジ部材７０は、皿ネジであることが好ましい。皿ネジは、下側先端収容部３４からの頭部７２の突出を抑制しやすく、周囲に対する機械的影響を抑制して安全性を確保しやすい。
衝立高さＨ１は、ブッシュ長さＬ１と同程度の寸法、あるいはブッシュ長さＬ１より短い寸法であることが好ましい。これにより、ブッシュ部５２の外周壁５３を有効に使用しやすく、強度を確保しやすい。衝立高さＨ１と衝立厚みＴ１は、衝立部３６としての強度を確保するための寸法が必要である。
【００１５】
図４は、図２に示した締結部材セット１を構成するキャップ部材３０の全体を一部断面で透視的に示す一部断面透視図である。
図５は、図４に示したキャップ部材３０を下側先端収容部３４の側から見た右側面図である。
図６は、図４に示したキャップ部材３０を衝立部３６の側から見た左側面図である。
図７は、図５に示したキャップ部材３０の下側先端収容部３４に吊り下げ棒２５の下側先端部２６を挿入した状態を示す右側面図である。
【００１６】
吊り下げ棒２５の下側先端部２６は、基本ハンガーバー１０から延び、雄ネジ部７４を下方から支持して上方に湾曲する湾曲形状を備え、エンドキャップ部３２は、雄ネジ部７４が通過する通過穴３８を有する。下側先端部２６の湾曲形状は、雄ネジ部７４が通過して通過穴３８に続く円環状の空間を有する。
下側先端収容部３４に位置した下側先端部２６は、湾曲形状によって雄ネジ部７４を下側から支える。このため、吊り下げ棒２５は、管体２１を確実に保持しやすい。また、雄ネジ部７４は、下側先端部２６に支持された状態でエンドキャップ部３２の通過穴３８を通過し、貫通孔５４の雌ネジ部５６にネジ込まれるので自己整合的に正確なネジ込みとなりやすい。
エンドキャップ部３２は、衝立部３６の外側に管体２１の先端が嵌め込まれる縁取り部４０を備え、縁取り部４０は、衝立部３６との間に管体２１が挿入される溝部４２を備える。つまり、管体２１の先端は、溝部４２に挿入されやすくなる。このため、管体２１の先端は、確実に保護されやすい。また、管体２１に対するエンドキャップ部３２の位置決めは、容易でかつ正確にしやすい。
【００１７】
衝立部３６は、衝立分離部４６を介して管体２１に対して等分に位置している。衝立部３６は、衝立分離部４６を介して管体２１の円周上で等分に位置しているので、衝立部３６が管内壁２１ｗに加える圧力を均等化して衝立部３６と管体２１との間での固定強度を均等化し増強しやすい。
本実施の形態では、衝立部３６は、円周上で４個等しく配置され、４方向において均等に衝立部３６を管内壁２１ｗに押し当てるので強固な固定を得やすい。円周方向における衝立分離部４６の衝立分離幅Ｗ２と衝立部３６の衝立幅Ｗ１の比は、例えば１対３程度である。
キャップ部材３０は、下側先端収容部３４の周囲に下側先端部２６を囲んで保護する保護枠部４４を備える。キャップ部材３０は、下側先端収容部３４の周囲に保護枠部４４を備えるので、下側先端部２６の外側への露出を抑制し、安全性および美観を確保しやすい。
なお、ブッシュ部５２およびエンドキャップ部３２は、合成樹脂製が好ましい。また、吊り下げ棒２５、雄ネジ部材７０、雌ネジ部５６は、金属製が好ましい。
【００１８】
増設ハンガーバーセット２は、増設ハンガーバー２０（管体２１）と、吊り下げ棒２５と、締結部材セット１と、を備える。
つまり、増設ハンガーバーセット２は、増設ハンガーバー２０、吊り下げ棒２５および締結部材セット１を一組にしているので、容易に設定されやすく、締結性を向上しやすい。
ハンガーバー増設システム３は、基本ハンガーバー１０と、増設ハンガーバー２０と、吊り下げ棒２５と、締結部材セット１と、を備える。
つまり、ハンガーバー増設システム３は、基本ハンガーバー１０、増設ハンガーバー２０、吊り下げ棒２５および締結部材セット１を一組にしているので、容易に設定されやすく、締結性を向上しやすい。
【００１９】
図８および図９を参照して、本実施の形態に係る締結部材セット１（図２他）の変形例としての締結部材セット１ｍについて説明する。
図８は、図２に示した締結部材セット１を変形した締結部材セット１ｍ（変形例）の状態を図２に倣って模式的に示す構成模式図である。
図９は、図８に示した締結部材セット１ｍの構成部材を組み立てた状態を一部断面で透視的に示す一部断面透視図である。
なお、締結部材セット１ｍのほとんどの構成は、締結部材セット１の構成と略同様であるので同様の構成については同一符号を付して説明を省略し、主に相違する構成部分について説明する。
締結部材セット１ｍにおいて、締結部材セット１と相違する事項は、ブッシュ部材５０ｍである。すなわち、締結部材セット１における貫通孔５４は、均一の孔内径φ４を有するのに対して、締結部材セット１ｍにおける貫通孔５４ｍは、異なる内径を有する。具体的には、貫通孔５４ｍは、雄ネジ外径φｂより大きい孔内径φ４と雄ネジ外径φｂより小さい縮小孔内径φ８を有する。
【００２０】
ブッシュ部材５０ｍは、ブッシュ部５２ｍと、ブッシュ部５２ｍの軸心（図示省略）に位置する貫通孔５４ｍとを有する。ここで、貫通孔５４ｍは、雌ネジ部５６に対する先端外径φ５の側で、雄ネジ部７４が有する雄ネジ外径φｂより大きい孔内径φ４を有し、雌ネジ部５６に対する後端外径φ６の側で、雄ネジ外径φｂより小さい縮小孔内径φ８を有する。
孔内径φ４は、雄ネジ外径φｂより大きいので、雄ネジ部７４は先端外径φ５の側で貫通孔５４ｍを通過し、雌ネジ部５６にねじ込まれる。また、縮小孔内径φ８は、雄ネジ外径φｂより小さいので、雌ネジ部５６を通過した雄ネジ部７４は、後端外径φ６の側で貫通孔５４ｍが有する縮小孔内径φ８（ブッシュ部５２ｍ）に食い込んで食い込み部７４ｓを生じる。
すなわち、金属製の雄ネジ部７４は、合成樹脂製のブッシュ部５２ｍに食い込んで食い込み部７４ｓを生じるので、雄ネジ部７４はブッシュ部５２ｍに対して緩みを生じにくくしやすい。
締結部材セット１ｍは、締結部材セット１と同様にそのまま増設ハンガーバーセット２、ハンガーバー増設システム３に対して適用される。
【産業上の利用可能性】
【００２１】
本発明に係る締結部材セット、増設ハンガーバーセット、およびハンガーバー増設システムは、ハンガーバーの増設をするときに有効に利用できる。
【符号の説明】
【００２２】
１，１ｍ  締結部材セット
２     増設ハンガーバーセット
３     ハンガーバー増設システム
１０  基本ハンガーバー
２０  増設ハンガーバー
２１  管体
２１ｗ  管内壁
２５  吊り下げ棒
２６  下側先端部
３０  キャップ部材
３２  エンドキャップ部
３４  下側先端収容部
３６  衝立部
３７  内側壁
３８  通過穴
４０  縁取り部
４２  溝部
４４  保護枠部
４６  衝立分離部
５０，５０ｍ  ブッシュ部材
５２，５２ｍ  ブッシュ部
５３  外周壁
５４，５４ｍ  貫通孔
５６  雌ネジ部
７０  雄ネジ部材
７２  頭部
７４  雄ネジ部
７４ｓ  食い込み部
Ｈ１  衝立高さ
Ｌ１  ブッシュ長さ
Ｔ１  衝立厚み
Ｗ１  衝立幅
Ｗ２  衝立分離幅
φ１  エンド側内径
φ２  開放側内径
φ４  孔内径
φ５  先端外径
φ６  後端外径
φ７  外周外径
φ８  縮小孔内径
φ１０  管内径
φｂ  雄ネジ外径
【図１】
2020093071.tif 000003
【図２】
2020093071.tif 000004
【図３】
2020093071.tif 000005
【図４】
2020093071.tif 000006
【図５】
2020093071.tif 000007
【図６】
2020093071.tif 000008
【図７】
2020093071.tif 000009
【図８】
2020093071.tif 000010
【図９】
2020093071.tif 000011